(57)【要約】 【課題】  簡単な機構であって、別部材を使用することなく、カメラの光学特性を容易に変更させることができる携帯型電子機器を提供することを目的とする。【解決手段】  第１筺体１２および第２筺体１３を有し、第１筺体１２と第２筺体１３との相対的な位置が変更可能に接続されるカメラ付き携帯電話機１１である。第１筺体１２には、被写体からの光を受光して、被写体を撮影するカメラ１６を有し、第２筺体１３には、カメラ１６の光学特性を変更するアダプタ１７を有する。このカメラ付き携帯電話機１１は、第１筺体１２と第２筺体１３との相対的な位置を変更させることによって、カメラ１６が被写体からの光を直接受光する第１状態と、カメラ１６がアダプタ１７を通過した光を受光する第２状態とに切り換えることができるように構成されている。【選択図】      図１
2007159050.tif 000002
【特許請求の範囲】
【請求項１】
第１筺体および第２筺体を有し、前記第１筺体と前記第２筺体との相対的な位置が変更可能に接続される携帯型電子機器において、
前記第１筺体には、被写体からの光を受光して、被写体を撮影する撮影手段を有し、
前記第２筺体には、前記撮影手段の光学特性を変更する補助手段を有し、
前記第１筺体と前記第２筺体との相対的な位置を変更させることによって、前記撮影手段が被写体からの光を直接受光する第１状態と、前記撮影手段が前記補助手段を通過した光を受光する第２状態とに切り換えることを特徴とする携帯型電子機器。
【請求項２】
前記補助手段は、前記撮影手段の撮影倍率を変更するレンズであることを特徴とする請求項１記載の携帯型電子機器。
【請求項３】
前記第１筺体には、前記撮影手段によって撮影した画像を表示する撮影画像確認手段を有し、
前記撮影画像確認手段は、前記撮影画像確認手段の表示方向が前記撮影手段の撮影方向とは反対方向となるように配置されており、
前記第２状態では、前記撮影手段が前記補助手段を通過した光を受光して撮影した画像を前記撮影画像確認手段に表示させることを特徴とする請求項１または２記載の携帯型電子機器。
【請求項４】
前記補助手段を複数有し、
前記第２状態は、前記撮影手段に受光する光が通過する補助手段によって定まる複数の状態を含むことを特徴とする請求項１〜３のいずれか１つに記載の携帯型電子機器。
【請求項５】
第１筺体および第２筺体を有し、前記第１筺体と前記第２筺体との相対的な位置が変更可能に接続される携帯型電子機器において、
前記第１筺体には、被写体からの光を受光して、被写体を撮影する撮影手段を有し、
前記第２筺体には、前記撮影手段の光学特性を変更する補助手段を複数有し、
前記第１筺体と前記第２筺体との相対的な位置を変更させることで、前記撮影手段に受光する光が通過する補助手段によって定まる複数の状態を切り換えることを特徴とする携帯型電子機器。
【発明の詳細な説明】
【技術分野】
【０００１】
本発明は、デジタルカメラなどの撮影手段を備えた携帯型電子機器に関し、たとえば、カメラ付き携帯電話機などに関する。
【背景技術】
【０００２】
携帯電話機、ノート型パーソナルコンピュータおよびＰＤＡ（Personal Digital
Assistant）などの携帯型電子機器は、バッグおよび衣服のポケットなどに入れて携帯するので、操作性が優れているだけでなく、小型で軽量であることなど携帯性が優れていることが求められている。携帯型電子機器としては、たとえば、携帯性および操作性に優れている折り畳み式の電子機器が多く用いられている。
【０００３】
折り畳み式の電子機器は、たとえば、ＬＣＤ（Liquid Crystal Display）などを有する筺体と操作手段を有する筺体とが折り畳み可能に構成されおり、折り畳むと、操作キーおよびＬＣＤなどが露出しないようになっており、携帯時および操作時などの状況によって、電子機器の形態を変化させることができる。したがって、携帯時に折り畳むことによって、バッグおよび衣服のポケットなどに収納しやすくなり、携帯時の操作キーの誤操作を防止でき、ＬＣＤを保護することができる。さらに、操作時には、開いた状態で使用するので、大型のＬＣＤおよび操作キーなどを用いることが可能であり、操作しやすい。
【０００４】
また、携帯型電子機器としては、カメラ付き携帯電話機などのデジタルカメラなどを内蔵したカメラ付きの電子機器が普及している。図１１は、従来のカメラ付き携帯電話機１１１の構成を示す概略図である。図１１（ａ）は、操作者以外を撮影する際のカメラ付き携帯電話機１１１の構成を示す概略図であり、図１１（ｂ）は、操作者を撮影する際のカメラ付き携帯電話機１１１の構成を示す概略図であり、図１１（ｃ）は、折り畳み状態のカメラ付き携帯電話機１１１の構成を示す概略図である。
【０００５】
カメラ付き携帯電話機１１１は、第１筺体１１２と第２筺体１１３とをヒンジによって折り畳みが可能に接続されている。第１筺体１１２は、表示形成部１１４とヒンジ接続部１１５とが、ヒンジの中心線に垂直な軸線まわりに回転できる回転ヒンジによって接続されている。表示形成部１１４には、メインＬＣＤ１１６、サブＬＣＤ１１７およびカメラ１１８などを有する。第２筺体１１３には、操作キー１１９などを有している。サブＬＣＤ１１７およびカメラ１１８は、メインＬＣＤ１１６が設置されている領域の反対側の領域に設置されている。
【０００６】
操作者以外の風景および他人などを撮影する場合、図１１（ａ）に示すように、カメラ１１８の撮影方向が被写体である風景および他人などの方向になるように表示形成部１１４を回転させて撮影するので、操作者は、メインＬＣＤ１１６に映される画像を確認しながら、操作者以外の風景および他人などを撮影することができる。操作者である自分を撮影する場合、図１１（ｂ）に示すように、カメラ１１８の撮影方向が被写体である操作者の方向になるように表示形成部１１４を回転させて撮影するので、サブＬＣＤ１１７に映される画像を確認しながら、操作者を撮影することができる。また、携帯時には、図１１（ｃ）に示すように、折り畳むことによって、携帯しやすくなる。
【０００７】
このようなカメラ付き電子機器に設けられているカメラは、電子機器の小型化および軽量化に伴って、小型で軽量であることが求められているので、カメラの機能を充分に発揮させることできない。たとえば、光学ズーム機能などの撮影倍率を変更させるためには、カメラの複数のレンズ間に充分な光学距離などを確保する必要があるが、折り畳み式の電子機器に内蔵されたカメラでは充分な光学距離を筺体内に確保することが困難であるので、変更できる撮影倍率などに制限がある。
【０００８】
そこで、充分な光学距離を確保するために、カメラ機能が中心のカメラ装置で一般的な伸縮式レンズを使用することが考えられる。伸縮式レンズは、レンズを筺体外部に突出させることによって、光学距離を確保することができる。しかしながら、伸縮式レンズは、機構的に携帯性を損なわない程度まで小型化することは困難であり、製造コストも高くなってしまう。
【０００９】
また、上記のような伸縮式レンズを使用する複雑な機構ではなく、簡単な機構で撮影倍率および画角などのカメラの光学特性を変更させる携帯型電子装置の典型的な従来の技術としては、特許文献１に記載されている。特許文献１には、カメラ付携帯電話端末を保持する保持装置が記載されており、この保持装置は、保持されているカメラ付携帯電話端末のカメラの前に位置付けられてカメラによる撮像画角を可変するズームレンズ装置を具備している。この保持装置によると、カメラの前に位置付けられているズームレンズ装置によって、撮影画角などのカメラの光学特性を変更させることができる。しかしながら、この保持装置に保持した状態でしか撮影画角を変更させることができないので、持ち運びが不便であり、携帯性が著しく損なわれる。また、携帯電話機の形状によって異なる保持装置を用意する必要があり、利便性も損なわれる。
【００１０】
他の従来技術としては、特許文献２に記載されている。特許文献２の携帯電話機は、カメラを視覚的に隠し得る透過率に設定されるフィルタを有する着脱可能なレンズカバーを備えていて、そのレンズカバーの着脱などによって、カメラにレンズカバーを被うか否かを切り換える。この携帯電話機によると、レンズカバーの着脱などによって、カメラの光学特性を切り換えることができる。しかしながら、携帯電話機本体だけでなく、レンズカバーも携帯する必要があり、利便性が悪く、レンズカバーを紛失するおそれもある。また、携帯電話機の形状によって異なるレンズカバーを用意する必要があり、利便性も損なわれる。
【００１１】
さらに他の従来技術としては、特許文献３に記載されている。特許文献３の移動体通信装置は、回動可能に設けられている撮像手段を所定の位置に回動した状態でその撮影対象領域の画像を撮影するときに作用するように配置された光学機能部品を備えている。この移動体通信装置によると、撮像手段を回動させることによって、光学機能部品を用いた撮影と光学機能部品を用いない撮影とに切り換えることができる。しかしながら、撮像手段を回動可能に接続させるための機構が必要となり、さらに、撮像手段を固定するための機構が必要であるので、電子機器が厚くなってしまい、折り畳み式の携帯型電子機器のような筺体が非常に薄い電子機器には採用することができない。
【００１２】
また、デジタルカメラの場合、撮影して得られた画像の一部を電気的に拡大して取り出す、いわゆるデジタルズームにより、画角などを変更させる方法も考えられるが、デジタルズームは、あくまで光学ズーム機能の補助的なズーム機能であって、カメラの光学特性を変更することができるわけではなく、上記問題の根本的な解決にはならない。さらに、携帯型電子機器に内蔵されたカメラは、小型、軽量および低消費電力が要求されるため、撮影手段の記録画素数はそれほど大きいものを使用しないので、デジタルズームのみを使用して撮影倍率を変更すると、画質が劣化し充分な画質が得られない。
【００１３】
【特許文献１】特開２００２−１７６５６８号公報
【特許文献２】特開２００２−２７１６６５号公報
【特許文献３】特開２００２−２７１６７９号公報
【発明の開示】
【発明が解決しようとする課題】
【００１４】
本発明の目的は、簡単な機構であって、別部材を使用することなく、カメラの光学特性を容易に変更させることができる携帯型電子機器を提供することができる。
【課題を解決するための手段】
【００１５】
本発明は、第１筺体および第２筺体を有し、前記第１筺体と前記第２筺体との相対的な位置が変更可能に接続される携帯型電子機器において、
前記第１筺体には、被写体からの光を受光して、被写体を撮影する撮影手段を有し、
前記第２筺体には、前記撮影手段の光学特性を変更する補助手段を有し、
前記第１筺体と前記第２筺体との相対的な位置を変更させることによって、前記撮影手段が被写体からの光を直接受光する第１状態と、前記撮影手段が前記補助手段を通過した光を受光する第２状態とに切り換えることを特徴とする携帯型電子機器である。
【００１６】
また本発明は、前記補助手段は、前記撮影手段の撮影倍率を変更するレンズであることを特徴とする。
【００１７】
また本発明は、前記第１筺体には、前記撮影手段によって撮影した画像を表示する撮影画像確認手段を有し、
前記撮影画像確認手段は、前記撮影画像確認手段の表示方向が前記撮影手段の撮影方向とは反対方向となるように配置されており、
前記第２状態では、前記撮影手段が前記補助手段を通過した光を受光して撮影した画像を前記撮影画像確認手段に表示させることを特徴とする。
【００１８】
また本発明は、前記補助手段を複数有し、
前記第２状態は、前記撮影手段に受光する光が通過する補助手段によって定まる複数の状態を含むことを特徴とする。
【００１９】
また本発明は、第１筺体および第２筺体を有し、前記第１筺体と前記第２筺体との相対的な位置が変更可能に接続される携帯型電子機器において、
前記第１筺体には、被写体からの光を受光して、被写体を撮影する撮影手段を有し、
前記第２筺体には、前記撮影手段の光学特性を変更する補助手段を複数有し、
前記第１筺体と前記第２筺体との相対的な位置を変更させることで、前記撮影手段に受光する光が通過する補助手段によって定まる複数の状態を切り換えることを特徴とする携帯型電子機器である。
【発明の効果】
【００２０】
本発明は、第１筺体および第２筺体を有し、第１筺体と第２筺体とが相対的な位置が変更可能に接続される携帯型電子機器である。第１筺体には、被写体からの光を受光して、被写体を撮影する撮影手段を有し、第２筺体には、撮影手段の光学特性を変更する補助手段を有する。この携帯型電子機器は、第１筺体と第２筺体との相対的な位置を変更させることによって、撮影手段が被写体からの光を直接受光する第１状態と、撮影手段が補助手段を通過した光を受光する第２状態とに切り換えることができるように構成されている。
【００２１】
そうすることによって、第１筺体と第２筺体との相対的な位置を変更させて、第１状態に切り換えると、撮影手段は、被写体からの光を直接受光して撮影することができる。また、第１筺体と第２筺体との相対的な位置を変更させて、第２状態に切り換えると、撮影手段は、被写体からの光を直接受光して撮影するのではなく、補助手段を通過した光を受光して撮影することができる。したがって、第１筺体と第２筺体との相対的な位置の変更、たとえば、第１筺体と第２筺体との開閉などによって、別部材を用いることなく、撮影手段の光学特性を容易に変更させることができる。さらに、第２筺体に補助部材を設けるだけであるので、携帯型電子機器を厚くすることなく、簡単な機構で撮影手段の光学特性を変更させることができる。
【００２２】
また本発明によれば、補助手段は、撮影手段の撮影倍率を変更するレンズであるので、第１筺体と第２筺体との相対的な位置の変更による第１状態と第２状態との切り換えによって、撮影手段の撮影倍率を切り換えて、撮影範囲などを変更させることができる。たとえば、第１筺体と第２筺体との開閉などによるによって、接写撮影に適した撮影倍率と望遠撮影に適した撮影倍率との切り換えなどの撮影倍率の切り換えを行なうことができる。
【００２３】
また本発明によれば、第１筺体には、前記撮影手段によって撮影した画像を表示する撮影画像確認手段を有し、撮影画像確認手段は、撮影画像確認手段の表示方向が撮影手段の撮影方向とは反対方向となるように配置されており、第２状態では、撮影手段が補助手段を通過した光を受光して撮影した画像を撮影画像確認手段に表示させるように構成されている。
【００２４】
第１筺体と第２筺体との相対的な位置を変更させて、第１状態に切り換えると、被写体からの光を直接受光して撮影することができ、その撮影された画像を撮影画像確認手段に表示させることができる。また、第２状態に切り換えると、補助手段を通過した光を受光して撮影することができ、その撮影された画像を撮影画像確認手段に表示させることができる。
【００２５】
したがって、この携帯型電子機器は、撮影画像確認手段が画像を表示する表示方向が、撮影手段から被写体への撮影方向とは反対方向となるように撮影画像確認手段が配置されているので、第１状態および第２状態との相対的な位置の変更、たとえば、第１筺体と第２筺体との開閉、第１筐体の回転および第１筺体のスライドなどによって、第２筺体に撮影画像確認手段を設けることなく、簡単な機構で、操作者は、撮影される画像を確認しながら、カメラの光学特性を変更した撮影を行うことができる。
【００２６】
また本発明によれば、撮影手段の光学特性を変更する補助手段を複数有し、第２状態は、撮影手段に受光する光が通過する補助手段によって定まる複数の状態を含む。第１筺体と第２筺体との相対的な位置を変更させて、任意の第２状態に切り換えると、撮影手段は、任意の補助手段を通過した光を受光して撮影することができ、より多くの撮影状態で撮影することができる。
【００２７】
したがって、第１筺体と第２筺体との相対的な位置の変更、たとえば、第１筺体と第２筺体との開閉、第１筐体の回転および第１筺体のスライドなどによって、別部材を用いることなく、撮影手段の光学特性を容易に変更させることができる。さらに、第２筺体に補助部材を設けるだけであるので、携帯型電子機器を厚くすることなく、簡単な機構で撮影手段の光学特性を変更させることができる。
【００２８】
また本発明によれば、第１筺体および第２筺体を有し、第１筺体と第２筺体とが相対的な位置が変更可能に接続される携帯型電子機器である。第１筺体には、被写体からの光を受光して、被写体を撮影する撮影手段を有し、第２筺体には、撮影手段の光学特性を変更する補助手段を複数有する。この携帯型電子機器は、第１筺体と第２筺体との相対的な位置を変更させることで、撮影手段に受光する光が通過する補助手段によって定まる複数の状態を切り換えることができるように構成されている。
【００２９】
そうすることによって、第１筺体と第２筺体との相対的な位置の変更、たとえば、第１筺体と第２筺体とのスライドなどによって、別部材を用いることなく、撮影手段の光学特性を容易に変更させることができる。さらに、第２筺体に補助部材を設けるだけであるので、携帯型電子機器を厚くすることなく、簡単な機構で撮影手段の光学特性を変更させることができる。
【発明を実施するための最良の形態】
【００３０】
以下に本発明を実施の形態によって詳細に説明する。本発明は、撮影手段を備えた携帯型電子機器であり、たとえば、カメラ付きの携帯電話機、ノート型パーソナルコンピュータおよびＰＤＡなどが挙げられる。本実施形態では、携帯型電子機器の１つとしてカメラ付きの携帯電話機について説明する。
【００３１】
本実施形態であるカメラ付き携帯電話機は、第１筺体および第２筺体を有し、第１筺体と第２筺体とが相対的な位置が変更可能に接続される携帯電話機である。第１筺体には、被写体からの光を受光して、被写体を撮影するカメラを有し、第２筺体には、カメラの光学特性を変更するアダプタを有する。この携帯型電子機器は、第１筺体と第２筺体との相対的な位置を変更させることによって、カメラが被写体からの光を直接受光する第１状態と、カメラがアダプタを通過した光を受光する第２状態とに切り換えることができるように構成されている。
【００３２】
そうすることによって、第１筺体と第２筺体との相対的な位置を変更させて、第１状態に切り換えると、カメラは、被写体からの光を直接受光して撮影することができる。また、第１筺体と第２筺体との相対的な位置を変更させて、第２状態に切り換えると、カメラは、被写体からの光を直接受光して撮影するのではなく、アダプタを通過した光を受光して撮影することができる。したがって、第１筺体と第２筺体との相対的な位置の変更、たとえば、第１筺体と第２筺体との開閉などによって、別部材を用いることなく、カメラの光学特性を容易に変更させることができる。さらに、第２筺体にアダプタを設けるだけであるので、携帯型電子機器を厚くすることなく、簡単な機構で撮影手段の光学特性を変更させることができる。
【００３３】
図１は、第１の実施形態であるカメラ付き携帯電話機１１の構成を示す概略図である。図１（ａ）は、展開状態のカメラ付き携帯電話機１１の正面を示す概略図であり、図１（ｂ）は、展開状態のカメラ付き携帯電話機１１の背面を示す概略図であり、図１（ｃ）は、対向状態のカメラ付き携帯電話機１１の正面を示す概略図であり、図１（ｄ）は、対向状態のカメラ付き携帯電話機１１の背面を示す概略図である。対向状態は、第１筺体１２および第２筺体１３が相互に対向され、第１筺体１２と第２筺体１３とが一致した状態であり、展開状態は、対向状態で対向する第１筺体１２および第２筺体１３の領域が外部に露出する状態である。
【００３４】
カメラ付き携帯電話機１１は、第１筺体１２と第２筺体１３とをヒンジによって折り畳み可能に接続されている。第１筺体１２には、メインＬＣＤ１４、サブＬＣＤ１５およびカメラ１６などを有する。第２筺体１３には、アダプタ１７、操作キー１８およびシャッターキー１０などを有する。
【００３５】
メインＬＣＤ１４は、後述の画像データおよび操作キー１８によって入力される文字などを表示する。メインＬＣＤ１４は、対向状態で、第１筺体１２の第２筺体１３が対向する対向領域に設置されている。サブＬＣＤ１５は、メインＬＣＤ１４と同様、後述の画像データを表示し、時計表示、アンテナ強度表示およびバッテリ表示などにも使用される。サブＬＣＤ１５は、対向状態で外部に露出する露出領域に、表示方向がカメラ１６の撮影方向とは反対方向になるように設置され、たとえば、第１筺体１２の対向領域と略平行な露出領域に設置されている。サブＬＣＤ１５は、撮影画像確認手段に相当する。
【００３６】
カメラ１６は、レンズおよびＣＣＤ（Charge Coupled Device）などを有し、たとえば、デジタルカメラなどが挙げられる。カメラ１６は、被写体からの光をレンズによって集光してＣＣＤに照射し、そのＣＣＤに照射された光をＣＣＤで電気信号に変換して、画像データを生成させる。カメラ１６は、撮影倍率および画角などが固定されているカメラであってもよいし、第１筺体１２内でレンズを移動させることによって、撮影倍率および画角などを変更することができるカメラであってもよい。撮影倍率および画角などを変更することができるカメラであっても、伸縮式レンズを使用した場合ほど撮影倍率および画角などを大きく変更させることができない。カメラ１６は、撮影方向がメインＬＣＤ１４の表示方向と同一の方向で、サブＬＣＤ１５の表示方向と反対方向になるように対向領域に設けられている。カメラ１６は、撮影手段に相当する。カメラ１６の撮影方向は、カメラ１６から被写体への方向であり、メインＬＣＤ１４の表示方向は、メインＬＣＤ１４から画像を表示するための光が照射される方向であり、サブＬＣＤ１５の表示方向は、サブＬＣＤ１５から画像を表示するための光が照射される方向である。また、カメラ１６は、ガラスおよび透明なプラスチック板などで覆われていてもよい。
【００３７】
アダプタ１７は、光軸がカメラ１６の光軸と一致するように、カメラ１６の前に位置付けることによって、カメラ１６の光学特性を変えることができるレンズであり、たとえば、伸縮式レンズ、広角レンズ、望遠レンズ、接写レンズ、偏光レンズおよびカラーレンズなどの光学レンズおよび偏光フィルタ、光透過フィルタおよび光量調整フィルタなどの光学フィルタなどを用いることができる。アダプタ１７は、第２筺体１３の厚み方向に光が通過するように設置し、さらに、対向状態で光軸がカメラ１６の光軸と一致するように設置されている。たとえば、カメラ１６が第１筺体１２の対向領域の右上に設置されている場合、アダプタ１７は、第２筺体１３の対向領域の右下に設置されている。アダプタ１７は、補助手段に相当する。
【００３８】
操作キー１８は、操作者による操作によって所定の情報を入力する。操作キー１８は、第２筺体１３の対向領域に設置され、数字データ、文字データおよびカメラ付き携帯電話機１１への指示などを入力する複数のキーによって実現される。カメラ付き携帯電話機１１への指示を入力するキーには、カメラ１６によって生成された画像データをカメラ付き携帯電話機１１の記憶手段への記憶を指示するキー、つまり、カメラ付き携帯電話機１１に撮影を指示するシャッターキーを含む。シャッターキー１０は、第２筺体１３の露出領域、たとえば、第２筺体１３の側面などに設置され、カメラ１６によって生成された画像データをカメラ付き携帯電話機１１の記憶手段への記憶を指示するキーである。展開状態では、操作者は、カメラ付き携帯電話機１１に撮影を指示する際に、操作キー１８を押下してもよいし、シャッターキー１０を押下してもよい。対向状態では、操作キー１８が隠れるため、操作者は、カメラ付き携帯電話機１１に撮影を指示する際に、シャッターキー１０を押下する。
【００３９】
図１（ａ）および図１（ｂ）には、ヒンジを中心として、第１筺体１２と第２筺体１３とが１８０°開いた展開状態のカメラ付き携帯電話機１１を示す。カメラ付き携帯電話機１１は、展開状態では、メインＬＣＤ１４の表示方向を正面とし、対向状態では、サブＬＣＤ１５の表示方向を正面とする。
【００４０】
図１（ａ）および図１（ｂ）に示すように、カメラ付き携帯電話機１１を開いて展開状態にすると、カメラ１６が露出するので、被写体を直接撮影することができる。図１（ｃ）および図１（ｄ）に示すように、カメラ付き携帯電話機１１を閉じて対向状態にすると、カメラ１６の光軸とアダプタ１７の光軸とが一致するので、アダプタ１７によって、カメラ１６の光学特性を変えて、被写体を撮影することができる。たとえば、アダプタ１７が、望遠レンズであれば、望遠撮影することができる。
【００４１】
したがって、第１筺体１２と第２筺体１３との開閉などの第１筺体１２と第２筺体１３との相対的な位置の変更によって、カメラ１６の光学距離を切り換えることができるので、カメラ付き携帯電話機１１とは別にアダプタなどの光学特性を変化させるための別部材を用いることなく、さらに、カメラ付き携帯電話機１１を厚くすることなく、簡単な機構で、カメラ１６の光学特性を容易に変更させることができる。
【００４２】
本実施形態の場合、展開状態は、カメラ１６が被写体からの光を直接受光することができる状態であり、第１状態に相当し、対向状態は、カメラ１６がアダプタ１７を通過した光を受光することができる状態であり、第２状態に相当する。
【００４３】
図２は、第１の実施形態であるカメラ付き携帯電話機１１の電気的構成を示すブロック図である。図２に示すように、カメラ付き携帯電話機１１は、メインＬＣＤ１４、サブＬＣＤ１５、カメラ１６、操作キー１８、ＣＰＵ（Central Processing Unit）１９、メモリ２０、アンテナ２１、通信制御部２２、レシーバ２３、マイク２４、音声制御部２５および開閉検出部２６を有する。
【００４４】
ＣＰＵ１９は、カメラ付き携帯電話機１１の制御を行う。ＣＰＵ１９は、操作キー１８を監視し、操作者のキー操作に基づく処理を行う。ＣＰＵ１９は、操作キー１８からの信号により、メモリ２０からプログラムまたは各種データの送受信を行い、カメラ１６の起動およびメインＬＣＤ１４およびサブＬＣＤ１５へのデータの送信を行いカメラ付き携帯電話機１１の制御を行う。また、カメラ１６が起動されている場合は、ＣＰＵ１９は、カメラ１６からの画像データを受信しメモリ２０に一時的に格納するとともに、メインＬＣＤ１４およびサブＬＣＤ１５へ表示データを送信する。つまり、ＣＰＵ１９は、カメラ１６から出力された画像データを表示データに変換し、メインＬＣＤ１４およびサブＬＣＤ１５の少なくともいずれか一方に表示させる。このときの表示データは、カメラ１６からの画像データのみではなく、その他の携帯電話機固有の情報を含んでいる場合もある。ＣＰＵ１９は、操作キー１８のシャッターキーおよびシャッターキー１０の押下などのカメラ撮影画像保存操作を検出した場合は、カメラ１６が出力する画像データをメモリ２０に記憶する。
【００４５】
メモリ２０は、カメラ付き携帯電話機１１を動作させるための動作プログラムおよびデータが格納されている。データには、カメラ１６によって生成された画像データ、操作キー１８によって入力された数字データおよび文字データなどが含まれる。
【００４６】
アンテナ２１は、電話通信のための音声信号を含む電波を、基地局との間で送受信する。通信制御部２２は、基地局から送信され、アンテナ２１を介して受信した音声信号を復調して、その復調された音声信号をＣＰＵ１９に出力する。また、通信制御部２２は、ＣＰＵ１９から出力された音声信号を変調して増幅し、アンテナ２１を介して、基地局に送信させる。
【００４７】
音声制御部２５は、通信制御部２２が復調した音声信号を変調して、レシーバ２３を介して音声を出力する。また、音声制御部２５は、マイク２４を介して入力された音声を復調して、その復調された音声信号をＣＰＵ１９に出力する。
【００４８】
カメラ付き携帯電話機１１は、音声信号を含む電波にアンテナ２１で受信し、その音声信号に基づいてレシーバ２３から音声を出力し、マイク２４から入力された音声に基づいてアンテナ２１から音声信号を含む電波を送信するので、操作者は通話を行うことができる。
【００４９】
開閉検出部２６は、カメラ付き携帯電話機１１の開閉を検出し、その検出結果をＣＰＵ１９に出力する。ＣＰＵ１９は、その出力結果に基づいて、メインＬＣＤ１４およびサブＬＣＤ１５のいずれに、画像を表示するかを決定する。カメラ付き携帯電話機１１が開いた展開状態であると検出した場合は、ＣＰＵ１９は、メインＬＣＤ１４に表示するように制御し、カメラ付き携帯電話機１１が閉じた対向状態であると検出した場合は、ＣＰＵ１９は、サブＬＣＤ１５に表示するように制御する。
【００５０】
したがって、カメラ付き携帯電話機１１が展開状態であると、図１（ａ）および図１（ｂ）に示すように、カメラ１６は、展開状態で、撮影方向がメインＬＣＤ１４の表示方向と同一の方向になるように設置されているので、カメラ１６で撮影される画像をメインＬＣＤ１４に表示させることができ、撮影される画像を確認しながら、操作者を撮影することができる。また、カメラ付き携帯電話機１１が対向状態であると、図１（ｃ）および図１（ｄ）に示すように、撮影方向がサブＬＣＤ１５の表示方向と反対方向になるように設置されているので、アダプタ１７によってカメラ１６の光学特性を変更して得られた画像、たとえば、望遠撮影した画像をサブＬＣＤ１５に表示させ、その表示された画像を確認しながら、操作者以外の風景および他人などを撮影することができる。カメラ付き携帯電話機１１は、展開状態および対向状態に切り換えることによって、操作者は、撮影される画像を確認しながら、カメラ１６の光学特性を変更した撮影を行うことができる。
【００５１】
図３は、第２の実施形態であるカメラ付き携帯電話機３１の構成を示す概略図である。図３（ａ）は、展開状態で、操作者以外を撮影する際のカメラ付き携帯電話機３１の構成を示す概略図であり、図３（ｂ）は、展開状態で、操作者を撮影する際の携帯電話機３１の構成を示す概略図であり、図３（ｃ）は、対向状態で、操作者以外を撮影する際の携帯電話機３１の構成を示す概略図である。
【００５２】
カメラ付き携帯電話機３１は、第１筺体３２と第２筺体３３とをヒンジによって折り畳み可能に接続されている。第１筺体３２には、表示形成部３４とヒンジ接続部３５とが、ヒンジの中心線に垂直な軸線まわりに回転できる回転ヒンジによって接続されている。表示形成部３４には、メインＬＣＤ３６、サブＬＣＤ３７およびカメラ３８などを有する。ヒンジ接続部３５は、回転ヒンジを介して表示形成部３４と接続し、ヒンジを介して第２筺体３３と接続している。第２筺体３３には、アダプタ３９、操作キー４０およびシャッターキー３０などを有する。サブＬＣＤ３７およびカメラ３８は、表示形成部３４のメインＬＣＤ３６が設置されている領域の反対側の領域に設置されている。
【００５３】
アダプタ３９は、第２筺体３３の厚み方向に光が通過するように設置し、さらに、その光軸が対向状態でカメラ３８の光軸と一致するように設置されている。たとえば、カメラ３８が第１筺体３２の対向領域の右上に設置されている場合、アダプタ３９は、第２筺体３３の対向領域の右下に設置されている。
【００５４】
メインＬＣＤ３６、サブＬＣＤ３７、カメラ３８、アダプタ３９、操作キー４０およびシャッターキー３０は、第１の実施形態のカメラ付き携帯電話機１１のメインＬＣＤ１４、サブＬＣＤ１５、カメラ１６、アダプタ１７、操作キー１８およびシャッターキー１０と同様である。メインＬＣＤ３６は、撮影画像確認手段に相当する。また、ＣＰＵ、メモリ、アンテナ、通信制御部、レシーバ、マイク、音声制御部および開閉検出部は、第１の実施形態のカメラ付き携帯電話機１１のＣＰＵ１９、メモリ２０、アンテナ２１、通信制御部２２、レシーバ２３、マイク２４、音声制御部２５および開閉検出部２６と同様である。図３（ａ）には、ヒンジを中心として、第１筺体３２と第２筺体３３とが１８０°開いた展開状態のカメラ付き携帯電話機３１を示す。カメラ付き携帯電話機３１は、第１筺体３２と第２筺体３３とを展開した展開状態では、操作キー４０の設置されている面を正面とする。
【００５５】
図３（ａ）および図３（ｂ）に示すように、カメラ付き携帯電話機３１を開いて展開状態にすると、カメラ３８が露出するので、被写体を直接撮影することができる。図３（ｃ）に示すように、図３（ｂ）に示すカメラ付き携帯電話機３１を閉じて対向状態すると、カメラ３８の光軸とアダプタ３９の光軸とが一致するので、アダプタ３９によって、カメラ３８の光学特性を変えて、被写体を撮影することができる。
【００５６】
本実施形態の場合、展開状態は、カメラ３８が被写体からの光を直接受光することができる状態であり、第１状態に相当し、対向状態は、カメラ３８がアダプタ３９を通過した光を受光することができる状態であり、第２状態に相当する。
【００５７】
したがって、第１筺体３２と第２筺体３３との開閉などの第１筺体３２と第２筺体３３との相対的な位置の変更によって、カメラ３８の光学距離を切り換えることができるので、カメラ付き携帯電話機３１とは別にアダプタなどの光学特性を変更させるための部材を用いることなく、さらに、カメラ付き携帯電話機３１を厚くすることなく、カメラ３８の光学特性を変更させることができる。
【００５８】
さらに、図３（ａ）に示すように、カメラ付き携帯電話機３１を開いた展開状態で、表示形成部３４を回転させて、メインＬＣＤ３６の設置されている領域が正面となるようにすると、カメラ３８で撮影される画像をメインＬＣＤ３６に表示させることができ、撮影される画像を確認しながら、操作者以外を撮影することができる。また、図３（ｂ）に示すように、カメラ付き携帯電話機３１を開いた展開状態で、表示形成部３４を回転させて、サブＬＣＤ３７およびカメラ３８の設置されている領域が正面となるようにすると、サブＬＣＤ３７に表示される画像を確認しながら、操作者を撮影することができる。また、図３（ｃ）に示すように、図３（ｂ）に示すカメラ付き携帯電話機３１を閉じて対向状態すると、メインＬＣＤ３６の表示方向がカメラ３８の撮影方向とは反対方向となるように、メインＬＣＤ３６が配置されることになるので、撮影される画像をメインＬＣＤ３６に表示させることができ、撮影される画像を確認しながら、操作者以外を撮影することができる。
【００５９】
したがって、メインＬＣＤ３６の表示方向がカメラ３８の撮影方向とは反対方向となるように配置されているので、カメラ付き携帯電話機３１の展開状態および対向状態に関わらず、操作者は、カメラ３８によって撮影される画像をメインＬＣＤ３６で確認しながら、撮影することができる。カメラ付き携帯電話機３１は、展開状態および対向状態に切り換えることによって、操作者は、撮影される画像を確認しながら、カメラ３８の光学特性を変更した撮影を行うことができる。
【００６０】
図４は、第３の実施形態であるカメラ付き携帯電話機４１の構成を示す概略図である。図４（ａ）は、展開状態のカメラ付き携帯電話機４１の正面を示す概略図であり、図４（ｂ）は、展開状態のカメラ付き携帯電話機４１の背面を示す概略図であり、図４（ｃ）は、カメラ付き携帯電話機４１の展開状態と対向状態との切り換えについて説明する図であり、図４（ｄ）は、対向状態のカメラ付き携帯電話機４１の正面を示す概略図であり、図４（ｅ）は、対向状態のカメラ付き携帯電話機４１の背面を示す概略図である。
【００６１】
カメラ付き携帯電話機４１は、第１筺体４２と第２筺体４３との表裏関係が一定の状態で回転できるように、第１筺体４２と第２筺体４３とが接続されている。第１筺体４２と第２筺体４３とは、第１筺体４２および第２筺体４３の厚み方向に平行な軸線まわりに回転可能に接続されている。カメラ付き携帯電話機４１は、図４（ｃ）に示すように、第１筺体４２は、第２筺体４３に対して回転することができ、カメラ付き携帯電話機４１を図４（ａ）および図４（ｂ）に示す展開状態と、図４（ｄ）および図４（ｅ）に示す対向状態とに切り換えることができる。
【００６２】
第１筺体４２には、ＬＣＤ４４、カメラ４５および操作キー４６などを有する。第２筺体４３には、アダプタ４７および入力キー４８などを有する。
【００６３】
ＬＣＤ４４は、後述の画像データおよび操作キー４６、入力キー４８によって入力される文字などを表示する。ＬＣＤ４４は、第１筺体４２の第２筺体４３が対向する対向領域と平行な領域に設置されている。ＬＣＤ４４は、撮影画像確認手段に相当する。カメラ４５は、撮影方向がＬＣＤ４４の表示方向と反対の方向になるように対向領域に設けられている。
【００６４】
操作キー４６および入力キー４８は、操作者による操作によって所定の情報を入力する。操作キー４６は、第１筺体４２のＬＣＤ４４が設置されている面と同一の面に設置されており、主にカメラ付き携帯電話機４１への指示などを入力する複数のキーによって実現される。カメラ付き携帯電話機４１への指示を入力するキーには、カメラ４５によって生成された画像データをカメラ付き携帯電話機の記憶手段への記憶を指示するキー、つまり、カメラ付き携帯電話機４１に撮影を指示するシャッターキーを含む。入力キー４８は、第２筺体４３の対向領域に設置され、主に数字データおよび文字データなどの複数のキーによって実現される。
【００６５】
アダプタ４７は、第２筺体４３の厚み方向に光が通過するように設置し、さらに、その光軸が対向状態でカメラ４５の光軸と一致するように設置されている。たとえば、カメラ４５が第１筺体４２の対向領域の左上に設置されている場合、アダプタ４７は、第２筺体４３の対向領域の右下に設置されている。
【００６６】
カメラ４５およびアダプタ４７は、第１の実施形態のカメラ付き携帯電話機１１のカメラ１６およびアダプタ１７と同様である。また、ＣＰＵ、メモリ、アンテナ、通信制御部、レシーバ、マイク、音声制御部および開閉検出部は、第１の実施形態のカメラ付き携帯電話機１１のＣＰＵ１９、メモリ２０、アンテナ２１、通信制御部２２、レシーバ２３、マイク２４および音声制御部２５と同様である。開閉検出部は、カメラ付き携帯電話機４１の回転による開閉を検出し、その検出結果をＣＰＵに出力する。カメラ付き携帯電話機４１は、ＬＣＤ４４の表示方向を正面とする。
【００６７】
カメラ付き携帯電話機４１は、対向状態では、図４（ｄ）および図４（ｅ）に示すように、操作キー４６が下部になるように持ち変えた状態で使用する。そうすることによって、操作キー４６を操作する際、操作者の指などが、ＬＣＤ４４を覆うことがなく、使用しやすい。
【００６８】
また、カメラ付き携帯電話機４１は、展開状態から、第１筺体４２を回転させた操作キー４６が上部である状態で使用するようにしてもよい。そのような場合、ＣＰＵは、開閉検出部の出力結果に基づいて、ＬＣＤ４４に表示させる画像の角度を決定する。カメラ付き携帯電話機４１が開いた展開状態であると検出した場合であっても、カメラ付き携帯電話機４１が閉じた対向状態であると検出した場合であっても、ＣＰＵは、ＬＣＤ４４の上部に被写体の上部が表示されるように制御する。
【００６９】
図４（ａ）および図４（ｂ）に示すように、第１筺体４２を回転させてカメラ付き携帯電話機４１を展開状態にすると、カメラ４５が露出するので、被写体を直接撮影することができる。図４（ｄ）および図４（ｅ）に示すように、第１筺体４２を回転させてカメラ付き携帯電話機４１を閉じて対向状態にすると、カメラ４５の光軸とアダプタ４７の光軸とが一致するので、アダプタ４７によって、カメラ４５の光学特性を変えて、被写体を撮影することができる。
【００７０】
本実施形態の場合、展開状態は、カメラ４５が被写体からの光を直接受光することができる状態であり、第１状態に相当し、対向状態は、カメラ４５がアダプタ４７を通過した光を受光することができる状態であり、第２状態に相当する。
【００７１】
したがって、第１筺体４２を第２筺体４３に対して回転させることによる展開状態と対向状態との切り換えなどの第１筺体４２と第２筺体４３との相対的な位置の変更によって、カメラ４５の光学距離を切り換えることができるので、カメラ付き携帯電話機４１とは別にアダプタなどの光学特性を変更させるための部材を用いることなく、さらに、カメラ付き携帯電話機４１を厚くすることなく、カメラ４５の光学特性を変更させることができる。
【００７２】
さらに、図４（ａ）および図４（ｂ）に示すように、第１筺体４２を回転させてカメラ付き携帯電話機４１を展開状態にすると、カメラ４５で撮影される画像をＬＣＤ４４に表示させることができ、撮影される画像を確認しながら、操作者以外を撮影することができる。また、図４（ｄ）および図４（ｅ）に示すように、第１筺体４２を回転させてカメラ付き携帯電話機４１を閉じて対向状態にすると、撮影される画像をＬＣＤ４４に表示させることができ、撮影される画像を確認しながら、操作者以外を撮影することができる。
【００７３】
したがって、ＬＣＤ４４の表示方向がカメラ４５の撮影方向とは反対方向となるように配置されているので、カメラ付き携帯電話機４１の展開状態および対向状態に関わらず、操作者は、カメラ４５によって撮影される画像をＬＣＤ４４で確認しながら、撮影することができる。カメラ付き携帯電話機４１は、展開状態および対向状態に切り換えることによって、操作者は、撮影される画像を確認しながら、カメラ４５の光学特性を変更した撮影を行うことができる。
【００７４】
また、本実施形態では、カメラ４５が被写体からの光を直接受光することができる展開状態を第１状態とし、カメラ４５がアダプタ４７を通過した光を受光することができる対向状態を第２状態としたカメラ付き携帯電話機４１について説明した。カメラ付き携帯電話機４１の場合、対向状態は、第１筺体４２および第２筺体４３が相互に対向され、第１筺体４２と第２筺体４３とが一致した状態であり、展開状態は、対向状態で対向する第１筺体４２および第２筺体４３の領域が外部に露出する状態である。
【００７５】
しかしながら、第２状態は、対向状態以外であってもよい。第２状態としては、展開状態から第１筺体４２を回転させることによって、カメラ４５の光軸とアダプタ４７の光軸が一致する状態であればよく、回転途中の状態でもよい。回転途中の状態を第２状態とするカメラ付き携帯電話機について説明する。
【００７６】
図５は、第４の実施形態であるカメラ付き携帯電話機５１の構成を示す概略図である。図５（ａ）は、展開状態のカメラ付き携帯電話機５１の背面を示す概略図であり、図５（ｂ）は、回転途中の状態のカメラ付き携帯電話機５１の背面を示す概略図である。
【００７７】
カメラ付き携帯電話機５１は、図５（ａ）および図５（ｂ）に示すように、カメラ５５およびアダプタ５７が回転途中の状態で、カメラ５５の光軸とアダプタ５７の光軸とが一致する位置に設置されている以外は、第３の実施形態のカメラ付き携帯電話機４１と同様である。回転途中の状態は、たとえば、図５（ｂ）に示すように、第１筺体５２の長手方向の辺が第２筺体５３の長手方向の辺と９０°となる状態であり、第２状態に相当する。回転途中の状態を第２状態とするカメラ付き携帯電話機５１は、たとえば、図５（ａ）に示すように、カメラ５５を第１筺体５２の対向領域の中央下部に設置し、アダプタ５７を第２筺体５３の対向領域の右上に設置することによって実現できる。
【００７８】
したがって、カメラ付き携帯電話機５１は、第１筺体５２を回転させることによって、被写体からの光を直接受光して撮影する第１状態、アダプタ５７を通過した光を受光して撮影する第２状態および、撮影しない完全に重なった対向状態と変更することができるカメラ付き携帯電話機である。
【００７９】
また、第３の実施形態および第４の実施形態では、アダプタが１個であるカメラ付き携帯電話機について説明したが、複数のアダプタが設置されていてもよい。複数のアダプタが設置されているカメラ付き携帯電話機について説明する。
【００８０】
図６は、第５の実施形態であるカメラ付き携帯電話機６１の構成を示す概略図である。図６（ａ）は、展開状態のカメラ付き携帯電話機６１の背面を示す概略図であり、図６（ｂ）は、回転途中の状態のカメラ付き携帯電話機６１の背面を示す概略図であり、図６（ｃ）は、対向状態のカメラ付き携帯電話機６１の背面を示す概略図である。
【００８１】
カメラ付き携帯電話機６１は、図６（ａ）〜図６（ｃ）に示すように、第１筺体６２を回転させることによって生じるカメラ６５の光軸の回転軌跡上に複数のアダプタを設置させること以外、第３の実施形態のカメラ付き携帯電話機４１と同様である。複数のアダプタを設置するカメラ付き携帯電話機６１は、たとえば、図６（ａ）〜図６（ｃ）に示すように、カメラ６５を第１筺体６２の対向領域の左下に設置し、アダプタ６６を第２筺体６３の対向領域の左上に設置し、アダプタ６７を第２筺体６３の対向領域の右上に設置することによって実現できる。
【００８２】
第１筺体６２の長手方向の辺が第２筺体６３の長手方向の辺と１８０°となる展開状態では、図６（ａ）に示すように、アダプタ６６を通過した光をカメラ６５で受光して撮影することができる。第１筺体４２の長手方向の辺が第２筺体４３の長手方向の辺と９０°となる状態では、図６（ｂ）に示すように、被写体からの光をカメラ６５で直接受光して撮影することができる。第１筺体６２の長手方向の辺が第２筺体６３の長手方向の辺と０°となる対向状態では、図６（ｃ）に示すように、アダプタ６７を通過した光をカメラ６５で受光して撮影することができる。
【００８３】
そうすることによって、複数のアダプタに沿って、第一筐体６２を移動させ、カメラ６５の光学特性をさらに変更させることができ、第２状態は、カメラ６５に受光する光が通過するアダプタ６６およびアダプタ６７によって定まる複数の状態を含むことになる。したがって、第１筺体６２と第２筺体６３との相対的な位置を変更させて、任意の第２状態に切り換えると、カメラ６５は、アダプタ６６またはアダプタ６７を通過した光を受光して撮影することができ、より多くの撮影状態に変更することができる。
【００８４】
図７は、第６の実施形態であるカメラ付き携帯電話機７１の構成を示す概略図である。図７（ａ）は、展開状態のカメラ付き携帯電話機７１の正面を示す概略図であり、図７（ｂ）は、展開状態のカメラ付き携帯電話機７１の背面を示す概略図であり、図７（ｃ）は、カメラ付き携帯電話機７１の展開状態と対向状態との切り換えについて説明する図であり、図７（ｄ）は、対向状態のカメラ付き携帯電話機７１の正面を示す概略図であり、図７（ｅ）は、対向状態のカメラ付き携帯電話機７１の背面を示す概略図である。
【００８５】
カメラ付き携帯電話機７１は、第１筺体７２と第２筺体７３との表裏関係が一定の状態で、第２筺体７３に対して第１筺体７２をスライド可能に接続されている。カメラ付き携帯電話機７１は、図７（ｃ）に示すように、第１筺体７２を、第１筺体７２および第２筺体７３の長手方向の辺に平行に、第２筺体７３に対してスライドさせることができ、カメラ付き携帯電話機７１を図７（ａ）および図７（ｂ）に示す展開状態と、図７（ｄ）および図７（ｅ）に示す対向状態とに切り換えることができる。
【００８６】
第１筺体７２には、ＬＣＤ７４、カメラ７５および操作キー７６などを有する。第２筺体７３には、アダプタ７７および入力キー７８などを有する。
【００８７】
ＬＣＤ７４は、第１筺体７２の第２筺体７３が対向する対向領域と平行な領域に設置されている。カメラ７５は、撮影方向がＬＣＤ７４の表示方向と反対の方向になるように対向領域に設けられている。アダプタ７７は、第２筺体７３の厚み方向に光が通過するように設置し、さらに、その光軸が対向状態でカメラ７５の光軸と一致するように設置されている。たとえば、図７（ｂ）で示すように、カメラ７５が第１筺体７２の対向領域の右上に設置されている場合、アダプタ７７は、第２筺体７３の対向領域の右上に設置されている。操作キー７６は、図７（ａ）で示すように、第１筺体７２のＬＣＤ７４が設置されている面と同一の面に設置されている。入力キー７８は、第２筺体７３の対向領域に設置されている。
【００８８】
ＬＣＤ７４、カメラ７５、操作キー７６、アダプタ７７および入力キー７８は、第３の実施形態のカメラ付き携帯電話機４１のＬＣＤ４４、カメラ４５、操作キー４６、アダプタ４７および入力キー４８と同様である。また、ＣＰＵ、メモリ、アンテナ、通信制御部、レシーバ、マイク、音声制御部および開閉検出部は、第１の実施形態のカメラ付き携帯電話機１１のＣＰＵ１９、メモリ２０、アンテナ２１、通信制御部２２、レシーバ２３、マイク２４および音声制御部２５と同様である。カメラ付き携帯電話機７１は、ＬＣＤ７４の表示方向を正面とする。
【００８９】
図７（ａ）および図７（ｂ）に示すように、第１筺体７２をスライドさせてカメラ付き携帯電話機７１を展開状態にすると、カメラ７５が露出するので、被写体を直接撮影することができる。図７（ｄ）および図７（ｅ）に示すように、第１筺体７２をスライドさせてカメラ付き携帯電話機７１を閉じて対向状態にすると、カメラ７５の光軸とアダプタ７７の光軸とが一致するので、アダプタ７７によって、カメラ７５の光学特性を変えて、被写体を撮影することができる。
【００９０】
本実施形態の場合、展開状態は、カメラ７５が被写体からの光を直接受光することができる状態であり、第１状態に相当し、対向状態は、カメラ７５がアダプタ７７を通過した光を受光することができる状態であり、第２状態に相当する。
【００９１】
したがって、第１筺体７２を第２筺体７３に対してスライドさせることによる展開状態と対向状態とに切り換えなどの第１筺体７２と第２筺体７３との相対的な位置の変更によって、カメラ７５の光学距離を切り換えることができるので、カメラ付き携帯電話機７１とは別にアダプタなどの光学特性を変更させるための部材を用いることなく、さらに、カメラ付き携帯電話機７１を厚くすることなく、カメラ７５の光学特性を変更させることができる。
【００９２】
さらに、図７（ａ）および図７（ｂ）に示すように、第１筺体７２をスライドさせてカメラ付き携帯電話機７１を展開状態にすると、カメラ７５で撮影される画像をＬＣＤ７４に表示させることができ、撮影される画像を確認しながら、操作者以外を撮影することができる。また、図７（ｄ）および図７（ｅ）に示すように、第１筺体７２をスライドさせてカメラ付き携帯電話機７１を閉じて対向状態にすると、撮影される画像をＬＣＤ７４に表示させることができ、撮影される画像を確認しながら、操作者以外を撮影することができる。
【００９３】
したがって、ＬＣＤ７４の表示方向がカメラ７５の撮影方向とは反対方向となるように配置されているので、カメラ付き携帯電話機７１の第１状態および第２状態に関わらず、操作者は、カメラ７５によって撮影される画像をＬＣＤ７４で確認しながら、撮影することができる。カメラ付き携帯電話機７１は、第１状態および第２状態に切り換えることによって、操作者は、撮影される画像を確認しながら、カメラ７５の光学特性を変更した撮影を行うことができる。
【００９４】
また、本実施形態では、カメラ７５が被写体からの光を直接受光することができる展開状態を第１状態とし、カメラ７５がアダプタ７７を通過した光を受光することができる対向状態を第２状態としたカメラ付き携帯電話機７１について説明した。カメラ付き携帯電話機７１の場合、対向状態は、第１筺体７２および第２筺体７３が相互に対向され、第１筺体７２と第２筺体７３とが一致した状態であり、展開状態は、対向状態で対向する第１筺体７２および第２筺体７３の領域が外部に露出する状態である。
【００９５】
しかしながら、第２状態は、対向状態以外であってもよい。第２状態としては、展開状態から第１筺体７２をスライドさせることによって、カメラ７５の光軸とアダプタ７７の光軸が一致する状態であればよく、スライド途中の状態でもよい。スライド途中の状態を第２状態とするカメラ付き携帯電話機について説明する。
【００９６】
図８は、第７の実施形態であるカメラ付き携帯電話機８１の構成を示す概略図である。図８（ａ）は、展開状態のカメラ付き携帯電話機８１の背面を示す概略図であり、図８（ｂ）は、スライド途中の状態のカメラ付き携帯電話機８１の背面を示す概略図である。
【００９７】
カメラ付き携帯電話機８１は、図８（ａ）および図８（ｂ）に示すように、カメラ８５およびアダプタ８７がスライド途中の状態で、カメラ８５の光軸とアダプタ８７の光軸とが一致する位置に設置されている以外は、第６の実施形態のカメラ付き携帯電話機７１と同様である。スライド途中の状態は、たとえば、図８（ｂ）に示すように、第１筺体８２の位置を、展開状態の位置と対向状態の位置の中央になるようにスライドさせた状態であり、第２状態に相当する。カメラ付き携帯電話機８１は、たとえば、図８（ａ）に示すように、カメラ８５が第１筺体８２の対向領域の右側の中央部に設置され、アダプタ８７が第２筺体８３の対向領域の右上に設置することによって実現できる。
【００９８】
したがって、カメラ付き携帯電話機８１は、第１筺体８２をスライドさせることによって、被写体からの光を直接受光して撮影する第１状態、アダプタ８７を通過した光を受光して撮影する第２状態および、撮影しない完全に重なった対向状態と変更することができるカメラ付き携帯電話機である。
【００９９】
また、第６の実施形態および第７の実施形態では、アダプタが１個であるカメラ付き携帯電話機について説明したが、複数のアダプタが設置されていてもよい。複数のアダプタが設置されているカメラ付き携帯電話機について説明する。
【０１００】
図９は、第８の実施形態であるカメラ付き携帯電話機９１の構成を示す概略図である。図９（ａ）は、展開状態のカメラ付き携帯電話機９１の背面を示す概略図であり、図９（ｂ）は、スライド途中の状態のカメラ付き携帯電話機９１の背面を示す概略図であり、図９（ｃ）は、対向状態のカメラ付き携帯電話機９１の背面を示す概略図である。
【０１０１】
カメラ付き携帯電話機９１は、図９（ａ）〜図９（ｃ）に示すように、第１筺体９２をスライドさせることによって生じるカメラ９５の光軸のスライド軌跡上に複数のアダプタを設置させること以外、第６の実施形態のカメラ付き携帯電話機７１と同様である。複数のアダプタを設置するカメラ付き携帯電話機９１は、たとえば、図９（ａ）〜図９（ｃ）に示すように、カメラ９５を第１筺体９２の対向領域の右側の中央部に設置し、アダプタ９６を第２筺体９３の対向領域の右上に設置し、アダプタ９７を第２筺体９３の対向領域の右側の中央部に設置することによって実現できる。また、第２状態は、図９（ｂ）に示すような展開状態と対向状態との間のスライド途中の状態であってもよいし、対向状態から展開状態となるようなスライド方向とは反対の方向に第１筺体９２をスライドさせた状態であってもよい。
【０１０２】
展開状態では、図９（ａ）に示すように、被写体からの光をカメラ９５で直接受光して撮影することができる。スライド途中の状態では、図９（ｂ）に示すように、アダプタ９６を通過した光をカメラ９５で受光して撮影することができる。対向状態では、図９（ｃ）に示すように、アダプタ９７を通過した光をカメラ９５で受光して撮影することができる。
【０１０３】
そうすることによって、複数のアダプタに沿って、第一筐体９２をスライドさせ、カメラ９５の光学特性をさらに変更させることができ、第２状態は、カメラ９５に受光する光が通過するアダプタ９６およびアダプタ９７によって定まる複数の状態を含むことになる。したがって、第１筺体９２と第２筺体９３との相対的な位置を変更させて、任意の第２状態に切り換えると、カメラ９５は、アダプタ９６またはアダプタ９７を通過した光を受光して撮影することができ、より多くの撮影状態に変更することができる。
【０１０４】
また、被写体からの光を直接受光して撮影する第１状態がなくてもよい。第１状態がないカメラ付き携帯電話機について説明する。
【０１０５】
図１０は、第９の実施形態であるカメラ付き携帯電話機１０１の構成を示す概略図である。図１０（ａ）は、展開状態のカメラ付き携帯電話機１０１の背面を示す概略図であり、図１０（ｂ）は、スライド途中の状態のカメラ付き携帯電話機１０１の背面を示す概略図であり、図１０（ｃ）は、対向状態のカメラ付き携帯電話機１０１の背面を示す概略図である。
【０１０６】
カメラ付き携帯電話機１０１は、第１筺体１０２と第２筺体１０３との表裏関係が一定の状態で、第２筺体１０３に対して第１筺体１０２をスライド可能に接続されている。第１筺体１０２には、ＬＣＤ、カメラおよび操作キーなどを有する。第２筺体１０３には、アダプタ１０４、アダプタ１０５、アダプタ１０６および入力キーなどを有する。第１筺体１０２に設けられているＬＣＤ、カメラ、および操作キーは、第６の実施形態のカメラ付き携帯電話機７１のＬＣＤ７４、カメラ７５および操作キー７６と同様である。第２筺体１０３に設けられている１０４、アダプタ１０５、アダプタ１０６および入力キーは、第６の実施形態のカメラ付き携帯電話機７１のアダプタ７７および入力キー７８と同様である。アダプタ１０４は、展開状態でカメラの上に位置するように設置し、アダプタ１０５は、スライド途中の状態でカメラの上に位置するように設置し、アダプタ１０６は、対向状態でカメラの上に位置するように設置する。たとえば、カメラは、第１筺体１０２の対向領域の右下に設置し、図１０（ａ）〜図１０（ｃ）に示すように、アダプタ１０４は、第２筺体１０３の対向領域の上部に設置し、アダプタ１０５は、第２筺体１０３の対向領域の右側の中央部に設置し、アダプタ１０６は、第２筺体１０３の対向領域の右下に設置されている。
【０１０７】
図１０（ａ）〜図１０（ｃ）に示すように、展開状態では、アダプタ１０４を通過した光を撮影することができ、スライド途中の状態では、アダプタ１０５を通過した光を撮影することができ、対向状態では、アダプタ１０６を通過した光を撮影することができる。
【０１０８】
そうすることによって、複数のアダプタに沿って、第一筐体１０２をスライドさせ、カメラの光学特性をさらに変更させることができ、カメラに受光する光が通過するアダプタ１０４，アダプタ１０５およびアダプタ１０６によって定まる複数の状態を切り換えることができる。したがって、第１筺体１０２と第２筺体１０３との相対的な位置を変更させて、別部材を用いることなく、カメラの光学特性を容易に変更させることができる。さらに、第２筺体１０３にアダプタを複数設けるだけであるので、カメラ付き携帯電話機１０１を厚くすることなく、簡単な機構でカメラの光学特性を変更させることができる。
【０１０９】
上記実施形態は、補助手段であるアダプタが、第２筺体に固定されたカメラ付き携帯電話機について説明したが、たとえば、アダプタを第２筺体に交換可能に設けてもよい。このような場合、アダプタを第２筺体に交換可能に設けること以外、上記実施形態のカメラ付き携帯電話機と同様である。そうすることによって、被写体などによって、カメラの光学特性をさらに変更させることができる。たとえば、望遠レンズを装着していれば、望遠撮影と通常の撮影を切り換えることができ、接写レンズを装着していれば、接写撮影と通常の撮影を切り換えることができる。
【０１１０】
本実施形態は、カメラ付き携帯電話機を例に挙げて説明したが、本発明は、カメラ付き携帯端末装置であれば、たとえばカメラ付きＰＤＡおよびカメラ付きノート型パーソナルコンピュータなどでもよい。
【図面の簡単な説明】
【０１１１】
【図１】第１の実施形態であるカメラ付き携帯電話機１１の構成を示す概略図である。
【図２】第１の実施形態であるカメラ付き携帯電話機１１の電気的構成を示すブロック図である。
【図３】第２の実施形態であるカメラ付き携帯電話機３１の構成を示す概略図である。
【図４】第３の実施形態であるカメラ付き携帯電話機４１の構成を示す概略図である。
【図５】第４の実施形態であるカメラ付き携帯電話機５１の構成を示す概略図である。
【図６】第５の実施形態であるカメラ付き携帯電話機６１の構成を示す概略図である。
【図７】第６の実施形態であるカメラ付き携帯電話機７１の構成を示す概略図である。
【図８】第７の実施形態であるカメラ付き携帯電話機８１の構成を示す概略図である。
【図９】第８の実施形態であるカメラ付き携帯電話機９１の構成を示す概略図である。
【図１０】第９の実施形態であるカメラ付き携帯電話機１０１の構成を示す概略図である。
【図１１】従来のカメラ付き携帯電話機１１１の構成を示す概略図である。
【符号の説明】
【０１１２】
１０，３０  シャッターキー
１１，３１，４１，５１，６１，７１，８１，９１，１０１，１１１  カメラ付き携帯電話機
１２，３２，４２，５２，６２，７２，８２，９２，１０２，１１２  第１筺体
１３，３３，４３，５３，６３，７３，８３，９３，１０３，１１３  第２筺体
１４，３６，１１６  メインＬＣＤ
１５，３７，１１７  サブＬＣＤ
１６，３８，４５，５５，６５，７５，８５，９５，１１８  カメラ
１７，３９，４７，５７，６６，６７，７７，８７，９６，９７，１０４，１０５，１０６  アダプタ
１８，４０，４６，７６，１１９  操作キー
１９  ＣＰＵ
２０  メモリ
２１  アンテナ
２２  通信制御部
２３  レシーバ
２４  マイク
２５  音声制御部
２６  開閉検出部
３４，１１４  表示形成部
３５，１１５  ヒンジ接続部
４４，７４  ＬＣＤ
４８，７８  入力キー
【図１】
2007159050.tif 000003
【図２】
2007159050.tif 000004
【図３】
2007159050.tif 000005
【図４】
2007159050.tif 000006
【図５】
2007159050.tif 000007
【図６】
2007159050.tif 000008
【図７】
2007159050.tif 000009
【図８】
2007159050.tif 000010
【図９】
2007159050.tif 000011
【図１０】
2007159050.tif 000012
【図１１】
2007159050.tif 000013